(57)【特許請求の範囲】
【請求項１】
２つの前側レンズ部を有する前側ケース、２つの後側レンズ部を有する後側ケース及び２つのテンプルを備えるフレームと、それぞれ前記２つの前側レンズ部と前記２つの後側レンズ部とによって構成されるレンズ装着部に装着される２つのレンズと、制御装置と、を備え、前記２つのテンプルが前記フレームの両端に枢着される３Ｄメガネにおいて、
前記２つの後側レンズ部の間には収容空間を有する接続座が形成され、前記制御装置は前記収容空間に装着され、前記制御装置は、回路板、電池及び赤外線装置を備え、前記赤外線装置及び前記電池は、前記回路板に設置されるとともに前記回路板に電気接続され、前記回路板の左右両側は前記２つのレンズに電気接続され、
前記２つの前側レンズ部の間には、前記後側ケースの接続座に結合されるカバー板が形成されており、
前記電池及び前記回路板は、前記カバー板に設置されていることを特徴とする３Ｄメガネ。
【請求項２】
前記後側ケースの各後側レンズ部の外側端には連結部が形成され、前記連結部に前記２つのテンプルがそれぞれ枢着されることを特徴とする請求項１に記載の３Ｄメガネ。
【請求項３】
前記レンズは内側縁を有し、前記内側縁には、電気接続エリアが形成されており、前記回路板の両側には、それぞれ回路接点が形成されており、前記電気接続エリアは、前記回路板に向かって突出するとともに前記回路接点にそれぞれ接続され、この時、前記電気接続エリアは、前記接続座に隣接することを特徴とする請求項１または２に記載の３Ｄメガネ。
【請求項４】
前記回路板の両側には、それぞれ回路接点が形成されており、前記回路接点は前記レンズの内側縁の電気接続エリアに隣接することを特徴とする請求項１〜３のいずれか１項に記載の３Ｄメガネ。
【請求項５】
前記電気接続エリアと前記回路接点とは、フレキシブル回路板を介して電気接続されることを特徴とする請求項３または４に記載の３Ｄメガネ。
【発明の詳細な説明】
【技術分野】
【０００１】
本発明は、３Ｄメガネに関し、特に軽量で且つ容易に組み立てることができる３Ｄメガネに関するものである。
【背景技術】
【０００２】
３Ｄ映画を鑑賞する際には、専用の３Ｄメガネが必要であるが、この３Ｄメガネは、作動方式によってアクティブ型及びパッシブ型に分かれる。パッシブ型３Ｄメガネは、レンズ及びフレームのみから構成され、如何なる機械的動作又は電子的動作も関係せず、例えば、パッシブ型３Ｄメガネには、アナグリフ式又は偏光式３Ｄメガネがある。アクティブ型３Ｄメガネは、メガネ自身による動作によって、３Ｄの立体効果を実現する。アクティブ型３Ｄメガネは、例えば３Ｄ液晶シャッターメガネがある。
【０００３】
現在は、前記３Ｄ液晶シャッターメガネが広く使用されており、画像を左右交互に表示して、視差を発生させることによって３Ｄの立体映像を実現する。このような３Ｄメガネのレンズは、リムに装着され、該リムの両側には、電源である電池及び制御回路がそれぞれ設置されている。前記電源は制御回路に電力を供給し、制御回路は左右レンズの画像を交互に表示させる。しかし、リムの両側に電源及び制御回路をそれぞれ設置するので、設置空間が必要であり、また、フレキシブルの回路板を利用して、該電源と制御回路の回路板とを電気的に接続させる必要があるため、メガネ全体の構造が大きくなり且つ重くなるため、使用者が長期間使用すると使用者に不快感を与えることがある。また構造の組み立ても複雑であるため、接線が容易に脱落するなどの問題がある。
【発明の概要】
【発明が解決しようとする課題】
【０００４】
以上の問題点に鑑みて、本発明は、軽量で且つ容易に組み立てることができる３Ｄメガネを提供することを目的とする。
【課題を解決するための手段】
【０００５】
前記課題を解決するために、本発明に係る３Ｄメガネは、２つの前側レンズ部を有する前側ケース、２つの後側レンズ部を有する後側ケース及び２つのテンプルを備えるフレームと、それぞれ前記２つの前側レンズ部と前記２つの後側レンズ部とによって構成されるレンズ装着部に装着される２つのレンズと、制御装置と、を備え、前記２つのテンプルが前記フレームの両端に枢着され、前記２つの後側レンズ部の間には収容空間を有する接続座が形成され、前記制御装置は前記収容空間に装着され、前記制御装置は、回路板、電池及び赤外線装置を備え、前記赤外線装置及び前記電池は前記回路板に設置されるとともに前記回路板に電気接続され、前記回路板の左右両側は前記２つのレンズに電気接続され、前記２つの前側レンズ部の間には、前記後側ケースの接続座に結合されるカバー板が形成されており、前記電池及び前記回路板は、前記カバー板に設置されている。
【発明の効果】
【０００６】
本発明の３Ｄメガネにおいて、制御装置の回路板の両側には、レンズに近接して回路接点がそれぞれ形成されているため、短いフレキシブル回路板によって電気接続することができ、また、前側ケースと後側ケースとを組み立てることによって、２つのレンズ及び制御装置を安定的に固定することができる。従って、構造が簡単で、軽量であり且つ低コストである。また、構造設計に制限がないため、使用に便利であり且つ３Ｄメガネを使用する際に、ユーザーに不快感を与えることはない。
【図面の簡単な説明】
【０００７】
【図１】本発明に係る３Ｄメガネの分解斜視図である。
【図２】本発明に係る３Ｄメガネのレンズと回路板とが結合された状態を示す図である。
【図３】本発明に係る３Ｄメガネの組立斜視図である。
【発明を実施するための形態】
【０００８】
以下、図面に基づいて、本発明に係る３Ｄメガネについて詳細に説明する。
【０００９】
図１に示したように、本発明に係る３Ｄメガネ１０は、フレーム１２と、２つのレンズ１４と、制御装置１６と、を備える。
【００１０】
フレーム１２は、前側ケース１２２と、後側ケース１２４と、２つのテンプル１２６と、を備える。前側ケース１２２は、左右両側に対称に設置されている２つの前側レンズ部１２２２を備える。同様に、後側ケース１２４も、左右両側に対称に設置されている２つの後側レンズ部１２４２を備える。前側ケース１２２と後側ケース１２４とを結合することで、１つの収容空間とその両側に位置するレンズ装着部とが形成される。本実施形態において、前記収容空間は、前側ケース１２２の２つの前側レンズ部１２２２間に位置するカバー板１２２４と、後側ケース１２４の２つの後側レンズ部１２４２間に位置する接続座１２４４と、が結合されることによって形成され、２つのレンズ１４は、前記レンズ装着部にそれぞれ装着される。前側ケース１２２と後側ケース１２４とは、係合方式又は螺合方式によって結合される。また、後側ケース１２４の各々の後側レンズ部１２４２の外側端（後側レンズ部１２４２における接続座１２４４から離間する側の端部）には、連結部１２４６がそれぞれ形成されており、この連結部１２４６にテンプル１２６が枢着されている。つまり、フレーム１２は、このテンプル１２６と、前側ケース１２２と、後側ケース１２４と、から構成される。制御装置１６は、２つの後側ケース１２４の２つの後側レンズ部１２４２の間に設置される。
【００１１】
従来の３Ｄメガネに比べて、本発明に係る３Ｄメガネ１０は、レンズの映像表示に関係する電子装置が、２つのレンズ装着部の間に装着されるので、フレーム１２の両側の空間を節約し、且つメガネ全体の重さを低減して、使用者の耳にかかる重圧を減らすことができるため、使用者に不快感を与えない。
【００１２】
図２を併せて参照すると、制御装置１６は、電源としての電池１６２、回路板１６４及び赤外線装置（図示せず）を備える。電池１６２及び赤外線装置は、回路板１６４に電気接続されて、電池１６２は、回路板１６４上の電子部品に電力を供給する。回路板１６４上の電子部品は、赤外線装置以外に、制御チップ、充電アセンブリ、制御ボタン及びＬＥＤ表示装置など（図示せず）があり、これらの電子部品は、回路板１６４に電気接続されている。また、回路板１６４の両側には、１つの回路接点１６４２がそれぞれ設置され、該回路接点１６４２はレンズ１４に隣接する。
【００１３】
レンズ１４は内側縁１４２を有し、該内側縁１４２は、電気接続エリア１４２２を備える。この電気接続エリア１４２２は、回路板１６４に向かって突出しており、回路接点１６４２にそれぞれ接続される。この時、電気接続エリア１４２２は、接続座１２４４に隣接する。電気接続エリア１４２２と回路接点１６４２とは、フレキシブル回路板１８を介して電気接続されるため、レンズ１４と回路板１６４とも電気接続される。回路板１６４は、フレキシブル回路板１８を介して、２つのレンズ１４の映像の交互再生を制御して、使用者に立体的な視覚効果を与える。また、回路接点１６４２は、電気接続エリア１４２２に隣接するので、比較的小さいフレキシブル回路板１８のみでレンズ１４と回路板１６４との電気接続を実現することができる。これにより、従来の３Ｄメガネのレンズの外側縁に電気接続エリアを設置して、大きなフレキシブル回路板１８によって電気接続する必要がないため、本発明に係る３Ｄメガネ１０は、低コストで且つ係合させるなどしてフレキシブル回路板１８が脱落するのを防止することができるため、電気接続が安定している。
【００１４】
本発明に係る３Ｄメガネ１０を組み立てる場合、先ず、レンズ１４と回路板１６４とを電気接続させた後、２つのレンズ１４をそれぞれ前側ケース１２２の２つの前側レンズ部１２２２に設置して、電池１６２及び回路板１６４を前側ケース１２２の２つの前側レンズ部１２２２の間のカバー板１２２４に設置する。次に、前側ケース１２２と後側ケース１２４とを結合させて、２つのレンズ１４をレンズ装着部（前側レンズ部１２２２と後側レンズ部１２４２とによって構成される）に設置し、制御装置１６（電池１６２及び回路板１６４）を収容空間（カバー板１２２４と接続座１２４４とによって構成される）に設置する。前記前側ケース１２２と前記後側ケース１２４とを結合させることによって、フレーム１２が構成され、この時、レンズ１４及び制御装置１６は、フレーム１２の前面に位置し、２つのテンプル１２６は、フレーム１２の両側に枢着されている。これにより、フレーム１２の両側に制御装置１６を装着するための収容空間を設ける必要はないため、３Ｄメガネ１０の軽量化を実現し且つ製造コストを削減することができる。
【００１５】
本発明に係る３Ｄメガネは、制御装置１６の回路板１６４の両側に、レンズ１４に近接する回路接点１６４２がそれぞれ形成されているため、短いフレキシブル回路板１８によって電気接続することができ、また、前側ケース１２２と後側ケース１２４とを組み立てることによって、２つのレンズ１４及び制御装置１６を安定的に固定することができる。従って、本発明に係る３Ｄメガネは、構造が簡単で、軽量であり且つ低コストである。また、構造設計に制限がないため、使用に便利であり且つ３Ｄメガネを使用する際に、ユーザーに不快感を与えることはない。
【００１６】
以上、本発明の好適な実施形態について詳細に説明したが、本発明は前記実施形態に限定されるものではなく、本発明の範囲内で種々の変形又は修正が可能であり、該変形又は修正もまた本発明の特許請求の範囲内に含まれるものであることは、言うまでもない。
【符号の説明】
【００１７】
１０  ３Ｄメガネ
１２  フレーム
１２２  前側ケース
１２２２  前側レンズ部
１２２４  カバー板
１２４  後側ケース
１２４２  後側レンズ部
１２４４  接続座
１２４６  連結部
１２６  テンプル
１４  レンズ
１４２  内側縁
１４２２  電気接続エリア
１６  制御装置
１６２  電池
１６４  回路板
１６４２  回路接点
１８  フレキシブル回路板
【図１】
0005587444.tif 000002
【図２】
0005587444.tif 000003
【図３】
0005587444.tif 000004